(57)【要約】【課題】レンズ鏡筒の沈胴時の小型化が進む場合であっても、バリア機構の閉動作が終了するタイミングを早めることにより、バリア機構を閉じようとしている時に、バリア羽根が薄目を開けるといったことを確実に防止すること。【解決手段】第２連動部２に、移動方向に略平行な直線状部２ｂを設けることにより、第２連動部２の移動量を調整することができ、斜面１ａ，２ａの角度を変えることなく、バリア機構３０の閉動作が終了するタイミングを早め（別言すれば、バリア機構３０の開動作が始まるタイミングを遅らせ）ることができる。従って、バリア機構３０を閉じようとしている時に、ＰＩリセット位置を通過したとしても、バリア機構３０は、閉じた状態にあることから、バリア羽根３１〜３４が薄目を開けるといったことを確実に防止することができる。【選択図】  図７
2004264511.tif 000002
【特許請求の範囲】
【請求項１】
バリア機構に設けた第１連動部と、一つの筒状枠に設けた第２連動部とが連動しながら、光軸方向に相対的に移動してバリア機構を開閉するレンズ鏡筒において、
前記第１連動部と前記第２連動部が連動する区間内に、非連動区間が設けてあることを特徴とするレンズ鏡筒。
【請求項２】
前記第１連動部と前記第２連動部とは、連動区間として、夫々、互いに摺動して連動する一対の斜面を有し、
前記非連動区間は、一方の連動部に、移動方向に略平行な直線状に形成してあることを特徴とする請求項１に記載のレンズ鏡筒。
【請求項３】
バリア機構に設けた第１連動部と、一つの筒状枠に設けた第２連動部とが連動しながら、光軸方向に相対的に移動してバリア機構を開閉し、
所定の基準筒状枠が基準位置を通過する際にレンズ鏡筒の絶対位置を検出し、当該基準位置で電気信号を切替えるレンズ鏡筒において、
前記基準位置より撮影位置側で、前記バリア機構の開閉動作を行うことを特徴とするレンズ鏡筒。
【請求項４】
前記基準位置では、前記バリア機構は、閉じた状態にあることを特徴とする請求項３に記載のレンズ鏡筒。
【発明の詳細な説明】
【０００１】
【発明の属する技術分野】
本発明は、レンズを保護するバリア機構を備えたカメラのレンズ鏡筒に関する。
【０００２】
【従来の技術】
カメラのレンズ鏡筒には、例えば、特許文献１に開示してあるように、レンズを保護するためのバリア機構を備えたものがある。
【０００３】
このバリア機構は、第１レンズ群の外方であって、第１レンズ群のための筒状枠の先端部に設けてある。バリア機構では、２対のバリア羽根が開閉可能に設けてあり、これら２対のバリア羽根は、後述するリング用バネより付勢力の弱い羽根用バネにより常時閉じる方向に付勢してある。
【０００４】
また、バリア機構には、これら２対のバリア羽根を駆動するためのバリアリングが光軸廻りに回動可能に設けてあり、羽根用バネより付勢力の強いリング用バネによって、常時開く方向に付勢してある。
【０００５】
従って、バリアリングが付勢力により一方向に回動されると、２対の羽根は、開いた状態になる一方、バリアリングが付勢力に抗して他方向に回動されると、２対の羽根は、閉じた状態になるようになっている。
【０００６】
なお、上記特許文献１では、鏡筒駆動機構の駆動用モータを利用して、このバリアリングを回動することにより、バリア機構のバリア羽根を開閉するように構成してある。
【０００７】
図８に示す例では、バリアリングには、カメラ側に向けて第１連動部１が突出してあり、カメラ側のキー筒状枠には、第２連動部２が被写体側に向けて突出してある。これら第１連動部１と、第２連動部２とには、夫々、互いに摺動する一対の斜面１ａ，２ａが形成してある。
【０００８】
これにより、第１連動部１と第２連動部２とが相対的に離れると、第１連動部１は、その斜面１ａを第２連動部２の斜面２ａに対して摺動させながら、リング用バネの付勢力により回動し、バリアリングを回動して、バリア機構を開くようになっている。
【０００９】
一方、第１連動部１と第２連動部２とが相対的に近付くと、第１連動部１は、その斜面１ａを第２連動部２の斜面２ａに対して摺動させながら、リング用バネの付勢力に抗して回動し、バリアリングを回動して、バリア機構を閉じるようになっている。
【００１０】
また、レンズ鏡筒における回転筒状枠の制御は、そのフランジ部をフォトインタラプタにて検出し、レンズ鏡筒の絶対位置検出を行っている。即ち、ＰＩリセット位置において、フランジ部がフォトインタラプタの発光中心を遮光することにより、ＨｉーＬｏ検出を行って、レンズ鏡筒の絶対位置検出を行っている。
【００１１】
【特許文献１】
特開平７−２０５３６号公報
【００１２】
【発明が解決しようとする課題】
ところで、レンズ鏡筒における回転筒状枠は、固定筒状枠のカムの形状により回動駆動しているが、近年、レンズ鏡筒の沈胴時の小型化が進んでおり、カムの傾斜がきつくなる傾向にあり、その結果、フォトインタラプタのＰＩリセット位置が早くなってきている。また、レンズの調整により、光軸方向にレンズユニットを移動する場合には、バリアの開閉タイミングが厳しくなるといったことがある。
【００１３】
具体的には、図８に示すように、沈胴時には、バリアリングの第１連動部１は、キー筒状枠の第２連動部２に当接しているが、フォトインタラプタのＰＩリセット位置が早くなってきている。
【００１４】
例えば、カメラの電源をＯＮにした時など、バリア機構を開く時には、第１連動部１が第２連動部２に対して相対的に離れるように、被写体側に向けて移動する。
【００１５】
これにより、第１連動部１は、リング用バネの付勢力の下、斜面１ａ，２ａにより徐々に回動し、ＰＩ（フォトインタラプタ）リセット位置の手前で、開動作を開始し、ＰＩリセット位置を過ぎた後に、開動作を終了し、バリア機構が開状態になる。
【００１６】
一方、例えば、カメラの電源をＯＦＦにした時など、バリア機構を閉じる時には、第２連動部２と第１連動部１とが相対的に近付くように、カメラ側に向けて移動する。
【００１７】
これにより、第１連動部１は、リング用バネの付勢力に抗しながら、斜面１ａ，２ａにより連動して回動し、ＰＩリセット位置の手前で、閉動作を開始し、ＰＩリセット位置を過ぎた後に、閉動作を終了し、バリア機構が閉状態になる。
【００１８】
以上から、ＰＩリセット位置では、開閉動作の途中であるが、図示したように、第１連動部１の斜面１ａが中心線を超えていることから、バリア機構は、若干開いた状態になっている。
【００１９】
また、電源ＯＦＦ時であって鏡筒がワイド側から沈胴側に移動してバリア機構を閉じようとする時、ＰＩリセット位置において、鏡筒繰り出し方向にて電気信号をリセットしてから沈銅状態とするシーケンスの鏡筒では、図８に示すように、回転筒状枠をＰＩリセット位置において往復動させることにより、電気信号をリセットしている。
【００２０】
従って、バリア機構を閉じようとしている時に、ＰＩリセット位置で回転筒状枠が往復動すると、バリア機構は、若干開くように開閉動作をして、バリア羽根が薄目を開けているように見え、外観上好ましくないといったことがある。
【００２１】
このような対策として、ＰＩリセット位置より撮影位置側において、バリア機構の開閉動作を行うように構成することが考えられる。すなわち、バリアの閉動作が終了するタイミングをＰＩリセット位置より早めること（別言すれば、バリアの開動作が始まるタイミングをＰＩリセット位置より遅らせること）が考えられる。
【００２２】
しかしながら、図８の例では、第１及び第２連動部の一対の斜面は、一律に変化しており、第１連動部の回転量と第２連動部の移動量とは比例している。従って、バリアの閉動作が終了するタイミングを早め（別言すれば、バリアの開動作が始まるタイミングを遅らせ）ようとすると、斜面の角度を変えて斜面を寝かせることになり、作動効率が落ちるといったことがある。
【００２３】
本発明は、上述したような事情に鑑みてなされたものであって、レンズ鏡筒の沈胴時の小型化が進む場合であっても、斜面の角度を変えることなく（即ち、作動効率を落とすことなく）、バリア機構の閉動作が終了するタイミングを早め（別言すれば、バリア機構の開動作が始まるタイミングを遅らせ）ることにより、バリア機構を閉じようとしている時に、バリア羽根が薄目を開けるといったことを確実に防止することができる、レンズ鏡筒を提供するこにある。
【００２４】
【課題を解決するための手段】
上記の目的を達成するため、本発明の請求項１に係るレンズ鏡筒は、バリア機構に設けた第１連動部と、一つの筒状枠に設けた第２連動部とが連動しながら、光軸方向に相対的に移動してバリア機構を開閉するレンズ鏡筒において、
前記第１連動部と前記第２連動部が連動する区間内に、非連動区間が設けてあることを特徴とする。
【００２５】
また、請求項２に係るレンズ鏡筒は、請求項１において、前記第１連動部と前記第２連動部とは、連動区間として、夫々、互いに摺動して連動する一対の斜面を有し、
前記非連動区間は、一方の連動部に、移動方向に略平行な直線状に形成してあることを特徴とする。
【００２６】
さらに、請求項３に係るレンズ鏡筒は、バリア機構に設けた第１連動部と、一つの筒状枠に設けた第２連動部とが連動しながら、光軸方向に相対的に移動してバリア機構を開閉し、
所定の基準筒状枠が基準位置を通過する際にレンズ鏡筒の絶対位置を検出し、当該基準位置で電気信号を切替えるレンズ鏡筒において、
前記基準位置より撮影位置側で、前記バリア機構の開閉動作を行うことを特徴とする。
【００２７】
さらに、請求項４に係るレンズ鏡筒は、請求項３において、前記基準位置では、前記バリア機構は、閉じた状態にあることを特徴とする。
【００２８】
【発明の実施の形態】
以下、本発明の実施の形態に係るレンズ鏡筒を図面を参照しつつ説明する。
【００２９】
図１は、本発明の実施の形態に係るレンズ鏡筒の縦断面図である。図２は、図１に示したレンズ鏡筒の分解斜視図である。図３は、図２に示した回転筒状枠とキー筒状枠の分解斜視図である。図４（ａ）は、固定筒状枠のカム溝の展開図であり、（ｂ）は、回転筒状枠のカム溝の展開図である。図５は、バリア機構の分解斜視図である。図６（ａ）は、バリア機構の閉状態の図であり、（ｂ）は、バリア機構の開状態の図である。図７は、本発明の実施の形態に係るレンズ鏡筒のタイミングチャートである。
【００３０】
図１及び図２に示すように、台座３には、固定筒状枠４が設けてあり、この固定筒状枠４の内径側には、回転筒状枠５が設けてある。回転筒状枠５は、固定筒状枠４の内周面に形成したカム溝４ａ（図４）に係合するカムフォロア５ａを有している。また、回転筒状枠５は、その外周面に、ギヤ部５ｂを有し、このギヤ部５ｂは、不図示の電動モータにより駆動される複数の減速ギヤ列（図示略）に噛合してある。従って、回転筒状枠５は、電動モータにより回転されながら、カムフォロア５ａを固定筒状枠４のカム溝４ａに係合させて、直進動することができる。
【００３１】
回転筒状枠５の内径側には、キー筒状枠７が設けてある。このキー筒状枠７は、固定筒状枠４の直進溝４ｂ（図４）に係合するフランジ７ａを有しており、非回転であって、直進動のみできるようになっている。キー筒状枠７は、爪部７ｂにより回転筒状枠５の溝部５ｃにスナップフィットにより取付けてある。従って、キー筒状枠７は、回転筒状枠５が回転しながら直進動する際には、非回転でありながら、回転筒状枠５と共に直進動することになる。
【００３２】
このキー筒状枠７の孔７ｃには、後述するバリア機構３０を開閉するための第２連動部２がスナップフィットにより取付けてある。
【００３３】
キー筒状枠７の内径側には、直進筒状枠８が設けてある。この直進筒状枠８は、回転筒状枠５の内周面に形成したカム溝５ｅ（図４）に係合するカムフォロア８ａを有している。従って、直進筒状枠８は、回転筒状枠５が回転すると、カムフォロア８ａを回転筒状枠５のカム溝５ｅに係合させて、直進動することができる。この直進筒状枠８の内径側には、第１レンズ群９が組み込んである。
【００３４】
また、キー筒状枠７の内径側には、第２レンズ群枠１０が設けてある。この第２レンズ群枠１０は、回転筒状枠５の内周面に形成したカム溝５ｆ（図４）に係合するカムフォロア１０ａを有している。従って、第２レンズ群枠１０は、回転筒状枠５が回転すると、カムフォロア１０ａを回転筒状枠５のカム溝５ｆに係合させて、直進動することができる。
【００３５】
また、回転筒状枠５の制御は、そのフランジ部５ｄをフォトインタラプタ２０にて検出し、レンズ鏡筒の絶対位置検出を行っている。即ち、ＰＩリセット位置において、フランジ部５ｄがフォトインタラプタ２０の発光中心２０ａを遮光することにより、ＨｉーＬｏ検出を行って、レンズ鏡筒の絶対位置検出を行っている。なお、これと併せて、電動モータのパルス数を検出することにより、鏡筒のズーム位置を決めている。
【００３６】
さらに、ＰＩリセット位置において、電気信号をリセットしてから沈銅状態とするシーケンスであり、図７に示すように、回転筒状枠５をＰＩリセット位置において往復動させることにより、電気信号をリセットしている。
【００３７】
直進筒状枠８の先端部には、レンズを保護するためのバリア機構３０が設けてある。図５に示すように、バリア機構３０では、２対のバリア羽根３１，３２，３３，３４が開閉可能に設けてあり、さらに、これらバリア羽根３１〜３４の被写体側には、前飾り環３５が設けてあり、さらに、カメラ側には、押え板３６と、バリアリング３７とが設けてある。前飾り環３５に形成した孔３５ａには、押え板３６に形成した爪部３６ａが挿入してあり、スナップフィットにより取付けてある。
【００３８】
一対のバリア羽根３１，３２は、前飾り環３５に形成した枢軸（図示略）に嵌合する孔３１ａ，３２ａを有し、これにより、一対のバリア羽根３１，３２は、枢軸の廻りに揺動自在になっている。
【００３９】
他の一対のバリア羽根３３，３４も、前飾り環３５に形成した枢軸（図示略）に嵌合する孔３３ａ，３４ａを有し、これにより、一対のバリア羽根３３，３４は、枢軸の廻りに揺動自在になっている。
【００４０】
また、原動側のバリア羽根３１は、連動軸３１ｂを有し、この連動軸３１ｂは、従動側のバリア羽根３２の切欠き部３２ｂに係合した後、バリアリング３７の係合部３７ａに係合してある。これにより、バリアリング３７が回動して、原動側のバリア羽根３１が開閉すると、従動側のバリア羽根３２も、連動して開閉するようになっている。さらに、バリア羽根３１に形成したフック部３１ｃには、常時羽根の閉じ方向に付勢する羽根用バネ３８（図６）が係止してある。
【００４１】
原動側のバリア羽根３３も、連動軸３３ｂを有し、この連動軸３３ｂは、従動側のバリア羽根３４の切欠き部３４ｂに係合した後、バリアリング３７の係合部３７ｂに係合してある。これにより、バリアリング３７が回動して、原動側のバリア羽根３３が開閉すると、従動側のバリア羽根３４も、連動して開閉するようになっている。さらに、バリア羽根３３に形成したフック部３３ｃには、常時羽根の閉じ方向に付勢する羽根用バネ３８（図６）が係止してある。
【００４２】
また、バリアリング３７は、羽根用バネ３８より付勢力の強いリング用バネ３９（図６）によって、常時羽根が開く方向に付勢してある。従って、図６（ｂ）に示すように、バリアリング３７が付勢力により一方向に回動されると、２対の羽根３１〜３４は、開いた状態になり、開口窓４０から退避する。一方、図６（ａ）に示すように、バリアリング３７が付勢力に抗して他方向に回動されると、２対の羽根３１〜３４は、閉じた状態になるようになっている。
【００４３】
さらに、本実施の形態では、バリアリング３７には、カメラ側に向けて第１連動部１が突出してある。キー筒状枠７の孔７ｃには、第２連動部２がスナップフィットにより取付けてあり、被写体側に向けて突出してある。これら第１連動部１と、第２連動部２とには、夫々、互いに摺動する一対の斜面１ａ，２ａが形成してある。
【００４４】
これにより、第１連動部１と第２連動部２とが相対的に離れると、第１連動部１は、その斜面１ａを第２連動部２の斜面２ａに対して摺動させながら、リング用バネ３９の付勢力により回動し、バリアリング３７を回動して、バリア機構３０を開くようになっている。
【００４５】
一方、第１連動部１と第２連動部２とが相対的に近付くと、第１連動部１は、その斜面１ａを第２連動部２の斜面２ａに対して摺動させながら、リング用バネ３９の付勢力に抗して回動し、バリアリング３７を回動して、バリア機構３０を閉じるようになっている。
【００４６】
さらに、本実施の形態では、第２連動部２の斜面２ａの一部に、移動方向に略平行な直線状部２ｂが形成してある。すなわち、斜面１ａ，２ａによる連動区間に加えて、この直線状部２ｂの非連動区間が設けてある。
【００４７】
ところで、図８に示すように、沈胴時には、バリアリングの第１連動部１は、キー筒状枠の第２連動部２に当接しているが、フォトインタラプタのＰＩリセット位置が早くなってきている。
【００４８】
図８の例では、電源ＯＦＦ時であって鏡筒がワイド側から沈胴側に移動してバリア機構を閉じようとする時、ＰＩリセット位置において、鏡筒繰り出し方向にて電気信号をリセットしてから沈銅状態とするシーケンスであって、回転筒状枠５をＰＩリセット位置において往復動させることにより、電気信号をリセットしている。その結果、バリア機構３０を閉じようとしている時に、ＰＩリセット位置で回転筒状枠５が往復動すると、バリア機構３０は、若干開くように開閉動作をして、バリア羽根３１〜３４が薄目を開けているように見え、外観上好ましくないといったことがある。
【００４９】
そのため、ＰＩリセット位置より撮影位置側において、バリア機構３０の開閉動作を行うように構成することが考えられる。すなわち、バリア機構３０の閉動作が終了するタイミングをＰＩリセット位置より早めること（別言すれば、バリア機構３０の開動作が始まるタイミングをＰＩリセット位置より遅らせること）が考えられる。
【００５０】
しかしながら、図８の例では、第１及び第２連動部１，２の一対の斜面１ａ，２ａは、一律に変化しており、第１連動部１の回転量と第２連動部２の移動量とは比例している。従って、バリア機構３０の閉動作が終了するタイミングを早め（別言すれば、バリア機構３０の開動作が始まるタイミングを遅らせ）ようとすると、斜面１ａ，２ａの角度を変えて斜面１ａ，２ａを寝かせることになり、作動効率が落ちるといったことがある。
【００５１】
これに対して、本実施の形態によれば、図７に示すように、第２連動部２に、移動方向に略平行な直線状部２ｂを設けることにより、第２連動部２の移動量を調整することができ、斜面１ａ，２ａの角度を変えることなく（即ち、作動効率を落とすことなく）、バリア機構３０の閉動作が終了するタイミングを早め（別言すれば、バリア機構３０の開動作が始まるタイミングを遅らせ）ることができる。
【００５２】
具体的には、図７に示すように、例えば、カメラの電源をＯＮにした時など、バリア機構を開く時には、第１連動部１が第２連動部２に対して相対的に離れるように、被写体側に向けて移動する。
【００５３】
これにより、第１連動部１は、リング用バネ３９の付勢力の下、斜面１ａ，２ａにより徐々に回動を開始するが、ＰＩリセット位置の沈胴側で、第２連動部２に直線状部２ｂが設けてあることから、斜面１ａ，２ａ同士が摺動せず、第２連動部２が移動しても、第１連動部１は、回動しない。そのため、この直線状部２ｂの分だけ、開動作の開始を遅らすことができる。
【００５４】
その後、ＰＩリセット位置を過ぎた後には、斜面１ａ，２ａ同士が再度摺動することから、ＰＩリセット位置の撮影位置側において、開動作を行って、バリア機構３０が開状態になる。
【００５５】
一方、例えば、カメラの電源をＯＦＦにした時など、バリア機構を閉じる時には、第２連動部２と第１連動部１とが相対的に近付くように、カメラ側に向けて移動する。
【００５６】
これにより、第１連動部１は、リング用バネ３９の付勢力に抗しながら、斜面１ａ，２ａにより連動して回動する。第２連動部２に直線状部２ｂを設けており、この直線状部２ｂの分だけ閉動作の開始が早くなることから、ＰＩリセット位置の撮影位置側で、閉動作を開始し、ＰＩリセット位置を過ぎる前に、閉動作を終了して、バリア機構が閉状態になる。
【００５７】
従って、図７に示すように、電源ＯＦＦ時であって鏡筒がワイド側から沈胴側に移動してバリア機構を閉じようとする時、ＰＩリセット位置において、回転筒状枠５を往復動させることにより、鏡筒繰り出し方向にて電気信号をリセットしている場合であっても、ＰＩリセット位置より撮影位置側で、バリア機構３０の開閉動作を行うように構成することができ、ＰＩリセット位置では、バリア機構３０は、常に閉じた状態にすることができる。
【００５８】
以上から、バリア機構３０を閉じようとしている時に、ＰＩリセット位置を通過したとしても、バリア機構３０は、閉じた状態にあることから、バリア羽根３１〜３４が薄目を開けるといったことを確実に防止することができる。
【００５９】
なお、本発明は、上述した実施の形態に限定されず、種々変形可能である。例えば、第２連動部は、可動するように構成したが、固定してあってもよい。この場合には、直進筒を光学調整により光軸方向に調整したとしても、本発明ののように、非連動区間を設けることにより、バリア開閉不具合を防止することができる。
【００６０】
【発明の効果】
以上説明したように、連動区間のみを設けて、非連動区間を設けていない場合には、第１及び第２連動部の斜面が一律に変化しており、第１連動部の回転量と第２連動部の移動量とは比例している。従って、バリアの閉動作が終了するタイミングを早め（別言すれば、バリアの開動作が始まるタイミングを遅らせ）ようとすると、斜面の角度を変えて斜面を寝かせることになり、作動効率が落ちるといったことがある。
【００６１】
これに対して、本発明によれば、連動区間に加えて、非連動区間を設けることにより、具体的には、一方の連動部に、非転動区間として、移動方向に略平行な直線状部を設けることにより、第２連動部の移動量を調整することができ、斜面の角度を変えることなく（即ち、作動効率を落とすことなく）、バリア機構の閉動作が終了するタイミングを早め（別言すれば、バリア機構の開動作が始まるタイミングを遅らせ）ることができる。
【００６２】
従って、基準位置（ＰＩリセット位置）より撮影位置側で、バリア機構の開閉動作を行うように構成することができ、基準位置では、バリア機構は、閉じた状態にすることができる。以上から、バリア機構を閉じようとしている時に、基準位置を通過したとしても、バリア機構は、閉じた状態にあることから、バリア羽根が薄目を開けるといったことを確実に防止することができる。
【図面の簡単な説明】
【図１】本発明の実施の形態に係るレンズ鏡筒の縦断面図である。
【図２】図１に示したレンズ鏡筒の分解斜視図である。
【図３】図２に示した回転筒状枠とキー筒状枠の分解斜視図である。
【図４】（ａ）は、固定筒状枠のカム溝の展開図であり、（ｂ）は、回転筒状枠のカム溝の展開図である。
【図５】バリア機構の分解斜視図である。
【図６】（ａ）は、バリア機構の閉状態の図であり、（ｂ）は、バリア機構の開状態の図である。
【図７】本発明の実施の形態に係るレンズ鏡筒のタイミングチャートである。
【図８】一例に係るレンズ鏡筒のタイミングチャートである。
【符号の説明】
１  第１連動部
１ａ  斜面
２  第２連動部
２ａ  斜面
２ｂ  直線状部
３  台座
４  固定筒状枠
４ａ  カム溝
４ｂ  直進溝
５  回転筒状枠
５ａ  カムフォロア
５ｂ  ギヤ部
５ｃ  溝部
５ｄ  フランジ部
５ｅ  カム溝
５ｆ  カム溝
６  電動モータ
７  キー筒状枠
７ａ  フランジ
７ｂ  爪部
７ｃ  孔
８  直進筒状枠
８ａ  カムフォロア
９  第１レンズ群
１０  第２レンズ群枠
１０ａ  カムフォロア
２０  フォトインタラプタ
２０ａ  発光中心
３０  バリア機構
３１〜３４  バリア羽根
３１ａ，３２ａ，３３ａ，３４ａ  孔
３１ｂ，３３ｂ  連動軸
３２ｂ，３４ｂ  切欠き部
３１ｃ，３３ｃ  フック部
３５  前飾り環
３５ａ  孔
３６  押え板
３６ａ  爪部
３７  バリアリング
３７ａ，３７ｂ  係合部
３８  羽根用バネ
３９  リング用バネ
４０  開口窓
【図１】
2004264511.tif 000003
【図２】
2004264511.tif 000004
【図３】
2004264511.tif 000005
【図４】
2004264511.tif 000006
【図５】
2004264511.tif 000007
【図６】
2004264511.tif 000008
【図７】
2004264511.tif 000009
【図８】
2004264511.tif 000010